(57)【要約】【目的】  各筐体（ベース体及びカバー体）の側壁部の隙間から細長いものを挿入して基板ボックス内の制御基板に不正を行う行為を防止することができる回胴式遊技機を提供する。【構成】  基板ボックス１００内に主基板９０を収容した状態で、カバー体１０２の側壁部１２１がベース体１０１の側壁部１１１を内嵌し、さらにはその側壁部１１１がカバー体１０２の内側リブ１３５を内嵌する。このため、各筐体（ベース体１０１及びカバー体１０２）の側壁部１１１，１２１の隙間から細長いものを挿入しても、これを内側リブ１３５で妨害するので、側壁部１１１，１２１の隙間から細長いものを挿入して基板ボックス１００内の主基板９０に不正を行う行為を防止することができる。【選択図】        図８
2006055474.tif 000002
【特許請求の範囲】
【請求項１】
遊技に関わる制御を行う制御基板と、該制御基板を収容する基板ボックスと、を備えた回胴式遊技機において、
前記基板ボックスは、前記制御基板の収容開口部を形成するベース側壁部が立設された筐体形状のベース体と、該ベース体のベース側壁部を内嵌するカバー側壁部が立設されて前記収容開口部を覆う筐体形状のカバー体と、を備え、
前記カバー体は、前記カバー側壁部に沿って立設されると共に前記ベース体との組み付け状態で前記ベース側壁部に内嵌される内側リブを備えたことを特徴とする回胴式遊技機。
【発明の詳細な説明】
【技術分野】
【０００１】
本発明は、遊技に関わる制御を行う制御基板と、該制御基板を収容する基板ボックスと、を備えた回胴式遊技機に関するものである。
【背景技術】
【０００２】
従来、一般に、スロットマシン等の回胴式遊技機には、遊技に関わる制御を行う種々の制御基板が設けられ、該制御基板は、基板ボックス内に収容されて回胴式遊技機の裏面側に着脱可能に取り付けられている。このような基板ボックスとしては、収容する制御基板に対する不正行為（例えば、主基板に実装されたＲＯＭ等の電子部品を不正に交換する等）を防止するために、一部を破壊しない限り固着状態を解除できない固着手段で基板ボックスを構成するベース体及びカバー体の各筐体を固着するようにしたもの（例えば、特許文献１参照）が提案されている。
【特許文献１】特開２００１−９５９７４号公報（図３）
【発明の開示】
【発明が解決しようとする課題】
【０００３】
ところで、上記特許文献１の構成では、ベース体とカバー体とを固着手段で固着することにより、基板ボックスの不正開放を防止することはできるものの、各筐体（ベース体及びカバー体）の側壁部の隙間から針金のような細長いものを挿入して制御基板に不正を行う行為に対しては何ら対策が施されていない。本発明は、上記した事情に鑑みなされたもので、その目的とするところは、ベース体及びカバー体の各筐体から構成される基板ボックスにおいて、各筐体（ベース体及びカバー体）の側壁部の隙間から細長いものを挿入して基板ボックス内の制御基板に不正を行う行為を防止することができる回胴式遊技機を提供することにある。
【課題を解決するための手段】
【０００４】
上記目的を達成するために、請求項１に係る発明においては、遊技に関わる制御を行う制御基板（主基板９０）と、該制御基板を収容する基板ボックス（１００）と、を備えた回胴式遊技機（スロットマシン１）において、前記基板ボックスは、前記制御基板の収容開口部（１０１ａ）を形成するベース側壁部（側壁部１１１）が立設された筐体形状のベース体（１０１）と、該ベース体のベース側壁部を内嵌するカバー側壁部（側壁部１２１）が立設されて前記収容開口部を覆う筐体形状のカバー体（１０２）と、を備え、前記カバー体は、前記カバー側壁部に沿って立設されると共に前記ベース体との組み付け状態で前記ベース側壁部に内嵌される内側リブ（１３５）を備えたことを特徴とする。
【発明の効果】
【０００５】
請求項１に係る発明においては、基板ボックス内に制御基板を収容した状態で、カバー体のカバー側壁部がベース体のベース側壁部を内嵌し、さらにはそのベース側壁部がカバー体の内側リブを内嵌する。言い換えれば、カバー側壁部と内側リブとの間にベース側壁部が嵌合して取り付けられる。このため、各筐体（ベース体及びカバー体）の側壁部の隙間から細長いものを挿入しても、これを内側リブで妨害するので、側壁部の隙間から細長いものを挿入して基板ボックス内の制御基板に不正を行う行為を防止することができる。
【発明を実施するための最良の形態】
【０００６】
以下、図面を参照して本発明の好適な実施形態について説明する。先ず、図１乃至図３を参照して実施形態に係る回胴式遊技機としてのスロットマシンの全体構成について説明する。図１は、スロットマシンを示す正面図である。図２は、フロントドアを開放した状態のスロットマシンを示す斜視図である。図３は、スロットマシンの内部を示す正面図である。
【０００７】
図２に示すように、スロットマシン１は、各種構成部材が収容される収容ボックス５０と、該収容ボックス５０の前面に上下一対の多関節蝶番６０によって開閉自在に設けられるフロントドア２と、を備えている。収容ボックス５０は、上部の天板５１と左右の側板５２，５３と下部の底板５４と背面の背板５５とによって直方体状に組み付けられている。
【０００８】
図１に示すように、フロントドア２には、図柄や各種情報等を表示する演出表示部３、所定のタイミングで点灯／点滅を行うランプ類４（例えばランプやＬＥＤ等の発光体）、リール５ａ，６ａ，７ａに表示されたそれぞれの図柄を認識可能な表示窓５，６，７、所要の表示態様（例えば入賞役［７，７，７］等）を形成可能な有効ラインを報知するライン表示部８、スロットマシン１内に貯留しているメダル（以下「クレジット」という）の数を表示可能なクレジット表示器９、ボーナス遊技で消化した遊技数を表示可能な遊技数表示器１０、払い出しを行う景品数を表示可能な払出数表示器１１、投入口１２から投入したメダルの返却を要求する返却ボタン１３、１回のゲームで賭けるベット数を設定するベットボタン１４，１５，１６、遊技方法等を説明するための案内板１７、リール５ａ，６ａ，７ａを回転させ始める始動レバー１８、回転しているリール５ａ，６ａ，７ａをそれぞれ個別に停止させる停止ボタン１９，２０，２１、クレジットしているメダルの返却を要求する精算ボタン２２等を備える。なお、ベットボタン１４，１５，１６や、始動レバー１８、停止ボタン１９，２０，２１等は、いずれも後述する主基板９０（図５参照）に信号を送るべく接点スイッチを兼ね備える。
【０００９】
演出表示部３には、例えば液晶表示器を用いるが、リール５ａ，６ａ，７ａと同等に構成した第４リールを用いてもよい。各表示窓５，６，７からは一以上の図柄（例えば三つの図柄）を見ることができる。表示窓５に見えるのが左図柄（リール５ａで表示）になり、表示窓６に見えるのが中図柄（リール６ａで表示）になり、表示窓７に見えるのが右図柄（リール７ａで表示）になる。当該表示窓５，６，７は、演出表示部３に相当し、遊技者は［左図柄，中図柄，右図柄］からなる入賞役を認識できる。ベットボタン１４，１５，１６を操作したベット数に応じて、有効ライン数が異なる。例えば１ベットを賭けるベットボタン１５（１ベットボタン）は中段横の１ラインのみ、２ベットを賭けるベットボタン１６（２ベットボタン）は上段横・中段横・下段横の３ラインとし、３ベットを賭けるベットボタン１４（ＭＡＸベットボタン）は横と斜めの５ライン全部となる。通常のベットボタン１４にかかるベット数は３であるが、特定の遊技中（例えばＪＡＣ遊技中等）ではベット数を１にするスロットマシンもある。
【００１０】
フロントドア２の下方には、タバコの吸い殻等を入れる灰皿２３、音（音声，音楽，効果音等）を響かせるべく内蔵したスピーカ２４、メダルを一時的に貯留可能な受皿２５を備える。そして、回転しているリール５ａ，６ａ，７ａが所要の表示態様になると払い出すメダルは払出口２６から出てきて、受皿２５に貯まる。
【００１１】
次に、収容ボックス５０内に収容される各種構成部材について図２及び図３を参照して説明する。図２及び図３に示すように、演出表示部３の裏側に相当する部位には、スロットマシン１による遊技を制御する主基板９０やサブ基板３０等を備える。不正防止のため、主基板９０は、後で詳述する基板ボックス１００に封入され、サブ基板３０は、基板ボックス３１に封入されている。基板ボックス１００は、収容ボックス５０を形成する背板５５の内壁面に取り付けられ、基板ボックス３１は、収容ボックス５０を形成する側板５２の内壁面に取り付けられている。
【００１２】
主基板９０の近傍には、外部処理装置（例えば遊技場内のホールコンピュータや、島設備内の島コンピュータなど）と接続するための外部集中端子板３２を備える。取付台３３には、リール５ａ，６ａ，７ａを横一列に並べて設置している。リール５ａの内側や近傍には、当該リール５ａを回転させるモータ，回転角（回転位置や姿勢等）を認識するためのインデックス，当該インデックスを検出するセンサ等を有する左リール装置３４を備える。同様にして、リール６ａ，７ａの内側や近傍には、左リール装置３４と同等に構成した中リール装置３５及び右リール装置３６をそれぞれ備える。
【００１３】
取付台３３の下方には、投入口１２から投入されたメダルを一時的に貯留するホッパー３７や、主基板９０等に各々必要な電力を供給する電源装置３８、ホッパー３７から払出口２６を通じて受皿２５に所定数のメダルを払い出すメダル払出装置３９、ホッパー３７と払出口２６とを連絡する通路には払出センサ４０等を備える。メダル払出装置３９は、主基板９０から送信される信号や、実際に払い出されたメダルを検出すると払出センサ４０が出力した信号を受けて、所要数量のメダルをカウントしながら払い出してゆく。
【００１４】
次に、遊技に関わる主な制御を行う主基板９０を収容する基板ボックス１００と、該基板ボックス１００をスロットマシン１の裏面側（背板５５の内壁面）に取り付ける取付基板２００について図４乃至図１０を参照して説明する。基板ボックス１００は、図４及び図５に示すように、主基板９０の収容開口部１０１ａを形成する側壁部１１１が立設された筐体形状のベース体１０１と、該ベース体１０１の側壁部１１１を内嵌する側壁部１２１が立設されて収容開口部１０１ａを覆う筐体形状のカバー体１０２と、を備えている。
【００１５】
ベース体１０１は、ポリカーボネイト等の透明な合成樹脂によって形成されると共に、長方形状の底面１１０と、該底面１１０の外周に沿って立設された前記側壁部１１１とを有する筐体形状に形成されている。ベース体１０１の長手方向における一側端（一方の短辺側）には、隅角寄りにそれぞれ２つずつが隣接した状態で計４つの固着片部１１２が形成されている。固着片部１１２には、カバー体１０２をベース体１０１にワンウェイネジ１０３及びアンカーリベット１０４で固着するための固着穴１１３が穿設されている。なお、４つの固着片部１１２のうちの１つの固着片部１１２が実際の固着用として用いられ、他の３つの固着片部１１２は予備用に設けられている。一方、ベース体１０１の長手方向における他側端（他方の短辺側）には、隅角寄りにそれぞれ係合片部１１４が形成されている。係合片部１１４には、カバー体１０２をベース体１０１に係止するための係合凹部１１５が一対に形成されている。
【００１６】
ベース体１０１の短手方向における両側端（長辺側）には、カバー体１０２をベース体１０１に係止するための係合突起１１６が固着片部１１２寄りに形成されている。ベース体１０１の底面１１０の内壁には、基板ボックス１００内に収容される主基板９０の裏面（ハンダ面）を支承する支承リブ１１７が側壁部１１１から所定の間隔を置いて立設されている。一方、ベース体１０１の底面１１０の外壁は、図６に示すように、側壁部１１１の下端部分から段差状に凹んで形成されると共に複数の規制リブ１１９が立設され、カバー体１０２における上面１２０の外形突出部分となる収容凸部１３１と嵌合可能な凹面部１１８として形成されている。なお、この凹面部１１８は、取付基板２００に対する基板ボックス１００の取り付け状態において、取付基板２００のビス止め部分（取付穴２０３に取り付けられるビスの頭）との干渉を逃げるようになっている。
【００１７】
カバー体１０２は、ベース体１０１と同様に、ポリカーボネイト等の透明な合成樹脂によって形成されると共に、長方形状の上面１２０と、該上面１２０の外周に沿って立設された前記側壁部１２１とを有する筐体形状に形成されている。カバー体１０２の長手方向における一側端（一方の短辺側）には、前記４つの固着片部１１２と個々に対応する４つの固着片部１２２が形成されている。固着片部１２２には、カバー体１０２をベース体１０１（固着片部１１２）にワンウェイネジ１０３及びアンカーリベット１０４で固着するための固着穴１２３が穿設されている。なお、固着片部１２２は、前記固着片部１１２と同様に４つのうちの１つの固着片部１２２が実際の固着用として用いられ、他の３つの固着片部１２２は予備用に設けられている。また、固着片部１２２の基部には、ニッパー等の切断手段によって切断可能な切断部１２２ａが形成されている（図７参照）。
【００１８】
２つずつ隣接した固着片部１２２の間には、４つの固着片部１２４が隣接して形成されている。固着片部１２４には、基板ボックス１００を取付基板２００にワンウェイネジ１０３及びアンカーリベット１０４で固着するための固着穴１２５が穿設されている。４つの固着片部１２４のうちの１つの固着片部１２４が実際の固着用として用いられ、他の３つの固着片部１２４は予備用に設けられている。４つの固着片部１２４は、それぞれ先端部分が連結部１２４ａによって連結されている。但し、この連結部１２４ａは、固着片部１２４の基部に形成された切断部１２４ｂ（図７参照）と同様に、ニッパー等の切断手段によって切断可能となっている。また、カバー体１０２の長手方向一側端における一方の隅角部には、基板ボックス１００を取付基板２００に係止するための係合爪１２６が形成されている。係合爪１２６の先端部分には、係合爪１２６による基板ボックス１００の係止状態を解除操作するための操作部１２６ａが形成されている。
【００１９】
一方、カバー体１０２の長手方向における他側端（他方の短辺側）には、前記係合片部１１４の一対の係合凹部１１５と個々に係合する一対の係合突起１２７が形成されている。２つずつの一対となった係合突起１２７の間には、基板ボックス１００を取付基板２００に係止するための係合突起１２８が一対に形成されている。カバー体１０２の短手方向における両側端には、固着片部１２２寄りの側壁部１２１を切り欠いた状態で係合爪１２９が形成されている。係合爪１２９には、前記係合突起１１６と係合する係合穴１２９ａが穿設されている。また、カバー体１０２の短手方向両側端における固着片部１２２寄りには、側壁部１２１における係合爪１２９の切欠部分と連続した状態で貼付切欠部１３０が形成されている。貼付切欠部１３０には、主基板９０を収容した状態で基板ボックス１００として組み付けられるベース体１０１とカバー体１０２との封止状態を担保するための封印シール１０５が各側壁部１１１，１２１に跨って貼付される。
【００２０】
カバー体１０２の上面１２０には、基板ボックス１００内に収容される主基板９０の表面（実装面）に実装される電子部品（ＣＰＵやＲＯＭ等）との干渉を避けるための収容凸部１３１が上面１２０から段差状に突出して形成されている。収容凸部１３１の上壁面には、主基板９０から発生する熱を基板ボックス１００の外部に放出するための放熱穴１３２が複数穿設されると共に、検査履歴シール１０６を貼付するための貼付凹部１３３が形成されている。検査履歴シール１０６には、主基板９０を検査した際に書き込む「年月日」「担当者」の各項目が記されている。
【００２１】
収容凸部１３１が突出されていない上面１２０の部位には、主基板９０の実装面に実装される各コネクタ９１ａ〜９１ｅを外部に露出するためのコネクタ開口１３４ａ〜１３４ｅが穿設されている。コネクタ９１ａは、電源基板（図示しない）との接続用コネクタであり、コネクタ９１ｂは、前面枠５に設けられる各種構成部材（例えば、サイド装飾装置２７やスピーカ３６等）との接続用コネクタであり、コネクタ９１ｃは、液晶表示器４２等を制御する前記サブ基板３０との接続用コネクタであり、コネクタ９１ｄは、図柄表示装置４０（リール４１ａ〜４１ｆ）との接続用コネクタであり、コネクタ９１ｅは、照合端子用のコネクタである。
【００２２】
また、各固着片部１２２，１２４の近傍となる上面１２０部位には、実際の固着に用いる固着片部１２２，１２４の順番を示す数字「１〜４」と英文字「Ａ〜Ｄ」とがカバー体１０２に一体成形されている。具体的には、カバー体１０２とベース体１０１との固着に用いられる４つの固着片部１２２においては、係合爪１２６側の隅角部から係合爪１２６とは反対側の隅角部に向って順番に「Ａ」「Ｂ」「Ｃ」「Ｄ」の英文字が付されており、「Ａ」が付された固着片部１２２から順番に実際の固着用に用いられる。一方、基板ボックス１００と取付基板２００との固着に用いられる４つの固着片部１２４においては、固着片部１２２とは逆に、係合爪１２６とは反対側の隅角部から係合爪１２６側の隅角部に向って順番に「１」「２」「３」「４」の数字が付されており、「１」が付された固着片部１２４から順番に実際の固着用に用いられる。なお、固着用のワンウェイネジ１０３及びアンカーリベット１０４は、最初に固着される「Ａ」の固着片部１２２及び「１」の固着片部１２４は勿論のこと、予備用となる「Ｂ〜Ｄ」の固着片部１２２及び「２〜４」の固着片部１２４にも装備される。
【００２３】
カバー体１０２の上面１２０の内壁には、図７に示すように、側壁部１２１から所定の間隔を置いて内側リブ１３５が立設されている。内側リブ１３５は、カバー体１０２をベース体１０１に組み付けた状態で、ベース体１０１の側壁部１１１に内嵌される。即ち、カバー体１０２の側壁部１２１と内側リブ１３５との間にベース体１０１の側壁部１１１が嵌合するようになっている。なお、係合突起１２７が形成されたカバー体１０２の短辺側には、内側リブ１３５は設けられているが、側壁部１２１は設けられていない。また、固着片部１２２，１２４が形成されたカバー体１０２の短辺側に設けられた内側リブ１３５と側壁部１２１との間隔寸法は、カバー体１０２の長辺側に設けられた内側リブ１３５と側壁部１２１との間隔寸法よりも若干大きい値に設定されている。このため、係合突起１２７側の短辺を支点にカバー体１０２とベース体１０１とを組み付ける作業がスムーズに行えるようになっている。また、上面１２０内壁における一方の対角線上に位置する隅角部分には、主基板９０を位置決めするための位置決め突起１３６が突設され、他方の対角線上に位置する隅角部分には、主基板９０をビス１０７止めするための取付突起１３７が突設されている。位置決め突起１３６及び取付突起１３７は、それぞれ側壁部１２１及び内側リブ１３５よりも短い高さ寸法に形成されている。言い換えれば、側壁部１２１及び内側リブ１３５は、カバー体１０２に取り付けられる主基板９０の基板位置よりも長い寸法に形成されている。なお、主基板９０における一方の対角線上に位置する隅角部分には、位置決め突起１３６と係合する位置決め穴９２ａが穿設され、他方の対角線上に位置する隅角部分には、ビス１０７止め用の取付穴９２ｂが穿設されている。
【００２４】
取付基板２００は、金属によって形成されると共に、基板ボックス１００の外形形状と対応した長方形状の基板面２０１を有している。基板面２０１には、取付基板２００全体の軽量化を図るための軽量穴２０２と、取付基板２００をスロットマシン１の裏面側（背板５５の内壁面）にビス止めするための取付穴２０３と、が穿設されている。取付基板２００の長手方向における一側端には、前記４つの固着片部１２４と個々に対応する４つの固着穴２０５が穿設された固着台座部２０４が形成されている。また、取付基板２００の長手方向一側端における一方の隅角部には、前記係合爪１２６と係合する係合穴２０７が穿設された係合片部２０６が形成されている。取付基板２００の長手方向一側端における他方の隅角部には、貼付台座部２０８が形成されている。貼付台座部２０８には、取付基板２００に対する基板ボックス１００の取付状態を担保するための封印シール（図示しない）が貼付される貼付面２０９が形成されている。
【００２５】
一方、取付基板２００の長手方向における他側端には、前記一対の係合突起１２８と個々に係合する一対の係合穴２１１が穿設された係合台座部２１０が形成されている。取付基板２００の短手方向における両側端には、基板面２０１の側端に沿って規制リブ２１２が立設されている。固着台座部２０４寄りの規制リブ２１２には、基板ボックス１００が取付基板２００に取り付けられた状態で前記貼付切欠部１３０に貼付される封印シール１０５を視認可能に露出する露出切欠部２１３が形成されている。
【００２６】
以上説明した基板ボックス１００の構成において、基板ボックス１００内に主基板９０を収容する手順について説明する。先ず、実装面をカバー体１０２の上面１２０内壁に対向させた状態で、主基板９０をカバー体１０２内にビス１０７止め固定する。このとき、主基板９０に実装される各コネクタ９１ａ〜９１ｅは、個々にコネクタ開口１３４ａ〜１３４ｅを通して外部に露出される。次に、カバー体１０２の係合突起１２７をベース体１０１の係合凹部１１５に係合させた状態から、カバー体１０２にビス１０７止めされた主基板９０のハンダ面をベース体１０１で覆うようにして主基板９０を基板ボックス１００内に収容する。即ち、係合突起１２７が形成されたカバー体１０２の短辺を支点としてカバー体１０２とベース体１０１とを組み付ける。このとき、カバー体１０２の係合爪１２９（係合穴１２９ａ）がベース体１０１の係合突起１１６と係合することで、カバー体１０２がベース体１０１に保持される。そして、「Ａ」の固着片部１２２に装備されたワンウェイネジ１０３をねじ込むことで、ベース体１０１側の固着片部１１２の固着穴１１３に挿入されたアンカーリベット１０４の拡張部が開き、カバー体１０２とベース体１０１とが固着され、主基板９０は基板ボックス１００内に封止される。また、この封止状態を担保するために、貼付切欠部１３０におけるカバー体１０２の側壁部１２１とベース体１０１の側壁部１１１に跨って封印シール１０５を貼付する。
【００２７】
次に、取付基板２００を介して基板ボックス１００をスロットマシン１の裏面側に取り付ける手順について説明する。先ず、取付穴２０３を介して取付基板２００を収容ボックス５０の背板５５の内壁面にビス止めする。このとき、スロットマシン１（収容ボックス５０）の正面視で固着台座部２０４を右側に配置する一方、スロットマシン１（収容ボックス５０）の正面視で係合台座部２１０を左側に配置するように取付基板２００がビス止めされる（図３参照）。次に、基板ボックス１００（カバー体１０２）の係合突起１２８を取付基板２００の係合穴２１１に係合させた状態から、取付基板２００の基板面２０１を基板ボックス１００で覆うようにして基板ボックス１００を取付基板２００に取り付ける。このとき、基板ボックス１００（カバー体１０２）の係合爪１２６が取付基板２００の係合片部２０６（係合穴２０７）と係合することで、基板ボックス１００が取付基板２００に保持される。そして、「１」の固着片部１２４に装備されたワンウェイネジ１０３をねじ込むことで、取付基板２００側の固着台座部２０４の固着穴２０５に挿入されたアンカーリベット１０４の拡張部が開き、基板ボックス１００と取付基板２００とが固着される。また、この固着状態を担保するために、基板ボックス１００（カバー体１０２）の上面１２０と取付基板２００の貼付面２０９に跨って封印シールを貼付する。なお、このような取付基板２００に対する基板ボックス１００の取り付け状態において、貼付切欠部１３０に貼付された封印シール１０５は、取付基板２００の露出切欠部２１３を通して外部から視認可能になっている。
【００２８】
次に、主基板９０のＲＯＭの検査やメンテナス等の正当な理由で基板ボックス１００を開封する場合について説明する。先ず、「１」の固着片部１２４における連結部１２４ａ及び切断部１２４ｂをニッパー等の切断手段で切断して（「１」の固着片部１２４を破断して）、「１」の固着片部１２４による基板ボックス１００と取付基板２００との固着状態を解除する。このとき、破断された「１」の固着片部１２４は、取付基板２００の固着台座部２０４に取り付いた状態にある。そして、係合爪１２６の操作部１２６ａを操作して（係合爪１２６が撓むように操作部１２６ａを押圧して）、係合爪１２６と係合片部２０６（係合穴２０７）との係合を解除し、この状態で基板ボックス１００を取付基板２００から取り外す。
【００２９】
次いで、取付基板２００から取り外した基板ボックス１００において、「Ａ」の固着片部１２２の切断部１２２ａをニッパー等の切断手段で切断して（「Ａ」の固着片部１２２を破断して）、「Ａ」の固着片部１２２によるカバー体１０２とベース体１０１との固着状態を解除する。このとき、破断された「Ａ」の固着片部１２２は、ベース体１０１の固着片部１１２に取り付いた状態にある。そして、係合爪１２９を操作して（係合爪１２９を撓ませて）、係合爪１２９（係合穴１２９ａ）と係合突起１１６との係合を解除し、この状態でカバー体１０２をベース体１０１から取り外すことで基板ボックス１００を開封する。
【００３０】
その後、ＲＯＭの検査やメンテナス等を終えて再び基板ボックス１００を封止するときには、主基板９０がビス１０７止めされたカバー体１０２をベース体１０１に仮止めした状態で（係合爪１２９（係合穴１２９ａ）と係合突起１１６との係合によってカバー体１０２をベース体１０１に保持した状態で）、予備用に設けられた３つの固着片部１２２のうち「Ｂ」の固着片部１２２に装備されたワンウェイネジ１０３をねじ込むことでアンカーリベット１０４の拡張部を開き、カバー体１０２とベース体１０１とを固着して、再び主基板９０を基板ボックス１００内に封止する。そして、基板ボックス１００を取付基板２００に仮止めした状態で（係合爪１２６と係合片部２０６（係合穴２０７）との係合によって基板ボックス１００を取付基板２００に保持した状態で）、予備用に設けられた３つの固着片部１２４のうち「２」の固着片部１２４に装備されたワンウェイネジ１０３をねじ込むことでアンカーリベット１０４の拡張部を開き、基板ボックス１００と取付基板２００とを固着して、再び基板ボックス１００をスロットマシン１の裏面側（背板５５の内壁面）に取り付ける。
【００３１】
なお、上記した正当な理由による基板ボックス１００の取付基板２００からの取り外し、及び基板ボックス１００の開封は、それぞれカバー体１０２に設けられた各固着片部１２４，１２２の個数（「１〜４」の４つの固着片部１２４、「Ａ〜Ｄ」の４つの固着片部１２２）に対応した回数（実施形態中では４回）まで行うことができる。
【００３２】
次に、本実施形態に係る基板ボックス１００の特徴について図８乃至図１０を参照して説明する。先ず、図８に示すように、基板ボックス１００内に主基板９０を収容した状態では、カバー体１０２の側壁部１２１がベース体１０１の側壁部１１１を内嵌し、さらにはその側壁部１１１がカバー体１０２の内側リブ１３５を内嵌する。言い換えれば、カバー体１０２の側壁部１２１と内側リブ１３５との間にベース体１０１の側壁部１１１が嵌合して取り付けられる。このため、各筐体（ベース体１０１及びカバー体１０２）の側壁部１１１，１２１の隙間から細長いものを挿入しても、これを内側リブ１３５で妨害するので、側壁部１１１，１２１の隙間から細長いものを挿入して基板ボックス１００内の主基板９０に不正を行う行為を防止することができる。
【００３３】
この構成において、主基板９０は、電子部品の実装面をカバー体１０２の上面１２０の内壁に対向させた状態でカバー体１０２に取り付けられ、側壁部１２１及び内側リブ１３５は、カバー体１０２に取り付けられる主基板９０の基板位置よりも長いリブ寸法に形成されている。このため、仮に側壁部１１１，１２１の隙間から挿入した細長いものが基板ボックス１００内の主基板９０まで侵入するようなことがあっても、電子部品の実装面は、細長いものの侵入側とは反対側を向いて配置されているため、細長いもので電子部品に対する不正を行うことができない。
【００３４】
また、図９に示すように、ベース体１０１の底面１１０の外壁には、カバー体１０２における上面１２０の外形突出部分となる収容凸部１３１と嵌合可能な凹面部１１８が形成されている。このため、複数の基板ボックス１００を積み上げる場合、下側の基板ボックス１００の上面部となるカバー体１０２の外形突出部分（収容凸部１３１）が、上側の基板ボックス１００の下面部となるベース体１０１の凹面部１１８に嵌合するため、基板ボックス１００を複数積み上げても崩れ落ち難くでき、ひいては生産工程での作業性を向上することができる。
【００３５】
この構成において、基板ボックス１００は、ベース体１０１の凹面部１１８が取付基板２００のビス止め部分（取付穴２０３に取り付けられるビスの頭）との干渉を逃げた状態で取付基板２００に取り付けられる。このため、ベース体１０１と取付基板２００のビス止め部分との干渉を逃がすために、取付基板２００側に逃げ用の凹部や段差部を形成する必要がなく、カバー体１０２の収容凸部１３１との嵌合用に設けた凹面部１１８を有効活用することができる。
【００３６】
なお、カバー体１０２単体でも複数積み重ね可能となっている。具体的には、カバー体１０２の収容凸部１３１の側壁は、上端面に向って若干傾斜して形成されている。このため、一のカバー体１０２の収容凸部１３１を他のカバー体１０２の収容凸部１３１内に内嵌させることができ、複数のカバー体１０２を積み重ねることができる。また、このような積み重ね状態で、カバー体１０２の各固着片部１２２，１２４に取り付けられるアンカーリベット１０４の先端突出部分は、下側に重なるカバー体１０２の各固着片部１２２，１２４の固着穴１２３，１２５内に入り込むようになっている。
【００３７】
また、図１０に示すように、カバー体１０２は、側壁部１２１に切欠形成されると共にベース体１０１との組み付け状態で側壁部１１１との間に封印シール１０５が貼付される貼付切欠部１３０を備え、基板ボックス１００は、貼付切欠部１３０が外部から視認可能にスロットマシン１（取付基板２００）に取り付けられる。このため、カバー体１０２とベース体１０１に跨って貼付される封印シール１０５を切り離そうとすると、外部から視認可能な貼付切欠部１３０（図１０に示す一点差線の部分）で封印シール１０５を切り離さなければならないため、基板ボックス１００の封止状態を担保するための封印シール１０５に対する不正を容易に発見することができる。
【００３８】
この構成において、基板ボックス１００は、スロットマシン１の裏面側にビス止めされる取付基板２００に着脱可能に取り付けられ、取付基板２００には、基板ボックス１００を取り付けた状態で貼付切欠部１３０を外部に露出する露出切欠部２１３が形成されている。このため、スロットマシン１に対する基板ボックス１００の取り付け取り外しを容易にした上で、封印シール１０５に対する不正が容易に発見できる。また、カバー体１０２の側壁部１２１には、貼付切欠部１３０と連続して係合爪１２９が形成され、ベース体１０１の側壁部１１１には、係合爪１２９（係合穴１２９ａ）との係合によってカバー体１０２をベース体１０１に係止する係合突起１１６が形成されている。このため、カバー体１０２とベース体１０１との組み付け時に係合爪１２９を係合突起１１６に係止することで、カバー体１０２をベース体１０１に仮止めできる。さらに、係合爪１２９を貼付切欠部１３０と連続して形成することで、個別に係合爪１２９用の切欠部を側壁部１２１に設ける必要がなく、封印シール１０５に対する不正防止用に設けた貼付切欠部１３０を有効活用することができる。
【００３９】
また、基板ボックス１００は、一部を破壊しない限り固着状態を解除できないワンウェイネジ１０３及びアンカーリベット１０４でベース体１０１とカバー体１０２とを固着するための複数の固着片部１１２，１２２と、一部を破壊しない限り固着状態を解除できないワンウェイネジ１０３及びアンカーリベット１０４で基板ボックス１００と取付基板２００とを固着するための複数の固着片部１２４と、を備えている。このため、基板ボックス１００を開封して主基板９０に不正を行うような場合には、基板ボックス１００を開封した破壊痕跡が明確に残るため、その不正行為を容易に発見することができ、さらには基板ボックス１００を取付基板２００から取り外して主基板９０に不正を行うような場合には、基板ボックス１００を取り外した破壊痕跡が明確に残るため、その不正行為を容易に発見することができる。
【００４０】
この構成において、複数の固着片部１１２，１２２と複数の固着片部１２４と貼付切欠部１３０とは、基板ボックス１００の一側に集中して設けられているので、基板ボックス１００（主基板９０）に対して不正が行われているか否かを調べるには、基板ボックス１００の一側を集中的に調べればよく、不正を調べる際の作業性を向上することができる。
【００４１】
なお、上記した実施形態では、本発明に係る回胴式遊技機をスロットマシンとして例示しているが、これに限定するものではなく、遊技球を用いてスロット遊技を行う回動式遊技機（以下、これをパチンコ遊技機とスロットマシンの融合遊技機ともいう）に本発明を適用してもよい。また、この場合、基板ボックスは、融合遊技機を構成するドラムユニットに取り付けられ、該ドラムユニットが融合遊技機の裏面側に設けられる機構板に取り付けられることで、融合遊技機（回胴式遊技機）の裏面側に基板ボックスを取り付ける構成となる。
【００４２】
また、以上説明した実施形態から把握できる発明として以下のものがある。
（１）前記制御基板（主基板９０）は、電子部品の実装面を前記カバー体（１０２）の上面（１２０）の内壁に対向させた状態で前記カバー体に取り付けられ、前記カバー側壁部（側壁部１２１）及び前記内側リブ（１３５）は、前記カバー体に取り付けられる前記制御基板の基板位置よりも長いリブ寸法に形成されていることを特徴とする。
【００４３】
上記のように実施形態から把握できる発明においては、仮に側壁部の隙間から挿入した細長いものが基板ボックス内の制御基板まで侵入するようなことがあっても、電子部品の実装面は、細長いものの侵入側とは反対側を向いて配置されているため、細長いもので電子部品に対する不正を行うことができないというメリットがある。
（２）前記基板ボックス（１００）は、一部を破壊しない限り固着状態を解除できない固着手段（ワンウェイネジ１０３及びアンカーリベット１０４）で前記ベース体（１０１）と前記カバー体（１０２）とを固着するための複数のボックス固着部（固着片部１１２，１２２）を備えたことを特徴とする。
【００４４】
上記のように実施形態から把握できる発明においては、基板ボックスを開封して制御基板に不正を行うような場合には、基板ボックスを開封した破壊痕跡が明確に残るため、その不正行為を容易に発見することができるというメリットがある。
（３）前記回胴式遊技機（スロットマシン１）の裏面側にビス止めされて前記基板ボックスを着脱可能に取り付ける取付基板（２００）を備え、前記基板ボックスは、前記ビスを覆い隠すように前記取付基板に取り付けられると共に、一部を破壊しない限り固着状態を解除できない固着手段（ワンウェイネジ１０３及びアンカーリベット１０４）で前記基板ボックスと前記取付基板とを固着するための複数の基板固着部（固着片部１２４）を備えたことを特徴とする。
【００４５】
上記のように実施形態から把握できる発明においては、基板ボックスを取付基板から取り外して制御基板に不正を行うような場合には、基板ボックスを取り外した破壊痕跡が明確に残るため、その不正行為を容易に発見することができる。また、基板ボックスを取付基板に取り付けた状態で取付基板を回胴式遊技機に取り付けるためのビスを覆い隠すので、取付基板に取り付けたまま基板ボックスを回胴式遊技機から取り外す不正を回避することができるというメリットがある。
（４）前記カバー体（１０２）は、前記カバー側壁部（側壁部１２１）に切欠形成されると共に前記ベース体（１０１）との組み付け状態で前記ベース側壁部（側壁部１１１）との間に封印シール（１０５）が貼付される貼付切欠部（１３０）を備え、前記基板ボックス（１００）は、前記貼付切欠部が外部から視認可能に遊技機に取り付けられることを特徴とする。
【００４６】
上記のように実施形態から把握できる発明においては、カバー体とベース体に跨って貼付される封印シールを切り離そうとすると、外部から視認可能な貼付切欠部で封印シールを切り離さなければならないため、基板ボックスの封止状態を担保するための封印シールに対する不正を容易に発見することができるというメリットがある。
（５）前記取付基板（２００）には、前記基板ボックス（１００）を取り付けた状態で前記貼付切欠部（１３０）を外部に露出する貼付露出部（露出切欠部２１３）が形成されていることを特徴とする。
【００４７】
上記のように実施形態から把握できる発明においては、遊技機に対する基板ボックスの取り付け取り外しを容易にした上で、封印シールに対する不正が容易に発見できるというメリットがある。
（６）前記カバー側壁部（側壁部１２１）には、前記貼付切欠部（１３０）と連続して係合爪（１２９）が形成され、前記ベース側壁部（側壁部１１１）には、前記係合爪との係合によって前記カバー体（１０２）を前記ベース体（１０１）に係止する係合部（係合突起１１６）が形成されていることを特徴とする。
【００４８】
上記のように実施形態から把握できる発明においては、カバー体とベース体との組み付け時に係合爪を係合部に係止することで、カバー体１０２をベース体１０１に仮止めできる。また、係合爪を貼付切欠部と連続して形成することで、個別に係合爪用の切欠部をカバー側壁部に設ける必要がなく、封印シールに対する不正防止用に設けた貼付切欠部を有効活用することができるというメリットがある。
（７）前記複数のボックス固着部（固着片部１１２，１２２）と前記複数の基板固着部（固着片部１２４）と前記貼付切欠部（１３０）とは、前記基板ボックス（１００）の一側に集中して設けられていることを特徴とする。
【００４９】
上記のように実施形態から把握できる発明においては、基板ボックス（制御基板）に対して不正が行われているか否かを調べるには、基板ボックスの一側を集中的に調べればよく、不正を調べる際の作業性を向上することができるというメリットがある。
（８）前記基板ボックス（１００）は、平面視で略長方形状に形成されると共に、一方の短辺を支点に前記カバー体（１０２）と前記ベース体（１０１）とを組み付けるものであり、前記固着片部（１２２，１２４）は、前記カバー体の他方の短辺に設けられ、前記カバー体の他方の短辺側に設けられる前記内側リブ（１３５）と前記カバー側壁部（側壁部１２１）との間隔寸法は、前記カバー体の長辺側に設けられる内側リブとカバー側壁部との間隔寸法よりも若干大きい値に設定されていることを特徴とする。
【００５０】
上記のように実施形態から把握できる発明においては、一方の短辺を支点にカバー体とベース体とを組み付ける作業がスムーズに行えるというメリットがある。
（９）前記カバー体（１０２）の収容凸部（１３１）の側壁は、上端面に向って若干傾斜して形成されていることを特徴とする。
【００５１】
上記のように実施形態から把握できる発明においては、カバー体単体でも複数積み重ねることができるというメリットがある。
【図面の簡単な説明】
【００５２】
【図１】スロットマシンを示す正面図である。
【図２】フロントドアを開放した状態のスロットマシンを示す斜視図である。
【図３】スロットマシンの内部を示す正面図である。
【図４】基板ボックスと取付基板を示す斜視図である。
【図５】基板ボックスと取付基板を示す分解斜視図である。
【図６】ベース体を示す背面斜視図である。
【図７】カバー体を示す背面斜視図である。
【図８】カバー体の側壁部と内側リブとの間にベース体の側壁部が嵌合した状態を示す断面図である。
【図９】カバー体の収容凸部がベース体の凹面部に嵌合した状態を示す断面図である。
【図１０】カバー体の貼付切欠部に封印シールが貼付された状態を示す側面図である。
【符号の説明】
【００５３】
１  スロットマシン（回胴式遊技機）
２  フロントドア
５０  収容ボックス
９０  主基板（制御基板）
１００  基板ボックス
１０１  ベース体
１０１ａ  収容開口部
１０２  カバー体
１０３  ワンウェイネジ
１０４  アンカーリベット
１０５  封印シール
１１１  側壁部（ベース側壁部）
１１６  係合突起
１１８  凹面部
１２１  側壁部（カバー側壁部）
１２９  係合爪
１３０  貼付切欠部
１３１  収容凸部
１３５  内側リブ
２００  取付基板
２０３  取付穴
２１３  露出切欠部
【図１】
2006055474.tif 000003
【図２】
2006055474.tif 000004
【図３】
2006055474.tif 000005
【図４】
2006055474.tif 000006
【図５】
2006055474.tif 000007
【図６】
2006055474.tif 000008
【図７】
2006055474.tif 000009
【図８】
2006055474.tif 000010
【図９】
2006055474.tif 000011
【図１０】
2006055474.tif 000012